(57)【要約】      （修正有）【課題】電源線に接続するだけで、無線充電作業を行うことができ、電子製品の落下を恐れる必要もない固定装置を提供する。【解決手段】固定装置１００Ａは、ベースユニット２、少なくとも１個のガード部材３、充電モジュール４を備え、ベースユニットはセット面２１を備え、ガード部材はベースユニットに設置し、セット面表面から突出し、電子製品をセット面に置くと、ガード部材は電子製品辺縁に位置し、その落下を防止する。充電モジュール４はベースユニットの内部に設置され、位置はセット面と相互に対応し、少なくとも１個のエミッション誘導コイル４１、コントロール回路ユニット４２を備える。無線充電可能な電子製品をセット面に置くと、充電モジュールにより電磁誘導の無線充電作業を行うことができる。【選択図】図１
0003189577.tif 000002
【実用新案登録請求の範囲】
【請求項１】
無線充電機能を備える固定装置は、ベースユニット、少なくとも１個のガード部材、充電モジュールを備え、
前記ベースユニットは、セット面を備え、
前記ガード部材は、前記ベースユニット位置に設置し、しかも前記セット面表面に突出し、
電子製品を前記セット面に置くと、前記ガード部材は、電子製品辺縁に位置し、その落下を防止することができ、
前記充電モジュールは、前記ベースユニット内部に位置し、位置は、前記セット面と相互に対応し、前記充電モジュールは、少なくとも１個のエミッション誘導コイル、コントロール回路ユニットを備え、
前記ベースユニットは別にコネクターを備え、前記コネクターは、前記充電モジュールと電気的に連接することを特徴とする無線充電機能を備える固定装置。
【請求項２】
前記セット面上には、粘性滑り止め部材を備え、
前記粘性滑り止め部材は、柔らかい素材で、しかも繰り返し粘着可能な特性を備えることを特徴とする請求項１に記載の無線充電機能を備える固定装置。
【請求項３】
前記ガード部材の位置は、移動方式であることを特徴とする請求項１に記載の無線充電機能を備える固定装置。
【請求項４】
前記固定装置はさらに、２個の挟持ユニットを備え、
前記２個の挟持ユニットは、前記ベースユニットにおいて相互に対応する両辺に設置し、
内少なくとも１個の挟持ユニットは、もう１個の挟持ユニットへと接近或いは離れることができ、これにより電子製品は、前記２個の挟持ユニットの間に挟持され、
さらに、前記ガード部材、前記２個の挟持ユニットは、電子製品周囲の三辺とそれぞれ接触し、その位置を固定することを特徴とする請求項１に記載の無線充電機能を備える固定装置。
【請求項５】
前記固定装置はさらに、２個の挟持ユニットを備え、
前記ベースユニット内部には、外界と連通する数個の挟持ガイド槽及び数個のガード部材ガイド槽を備え、
前記挟持ガイド槽と前記ガード部材ガイド槽との槽方向は、ちょうど反対で、
前記２個の挟持ユニット局部は、前記挟持ガイド槽にスライドして入ることができ、
前記ガード部材の局部も、前記ガード部材ガイド槽にスライドして入ることができ、
調整を経た後、前記２個の挟持ユニットと前記ガード部材の三者間の距離は固定され、前記ガード部材、前記２個の挟持ユニットは、電子製品周囲の三辺とそれぞれ接触し、その位置を固定することを特徴とする請求項１に記載の無線充電機能を備える固定装置。
【請求項６】
無線充電機能を備える固定装置は、ベースユニット、少なくとも１個のガード部材、充電モジュール、及び２個の挟持ユニットを備え、
前記ベースユニットは、セット面を備え、
前記ガード部材は、前記ベースユニット位置に設置し、しかも前記セット面表面に突出し、
前記２個の挟持ユニットは、前記ベースユニットにおいて相互に対応する両辺に設置し、内少なくとも１個の挟持ユニットは、もう１個の挟持ユニットへと接近或いは離れることができ、
電子製品を前記セット面に置くと、電子製品は前記２個の挟持ユニットの間に挟持され、前記ガード部材、前記２個の挟持ユニットは、電子製品周囲の三辺とそれぞれ接触し、その位置を固定し、
前記充電モジュールは、前記ベースユニット内部に位置し、位置は、前記セット面と相互に対応し、前記充電モジュールは、少なくとも１個のエミッション誘導コイル、コントロール回路ユニットを備え、
前記ベースユニットは別にコネクターを備え、前記コネクターは、前記充電モジュールと電気的に連接することを特徴とする無線充電機能を備える固定装置。
【請求項７】
無線充電機能を備える固定装置は、ベースユニット、少なくとも１個のガード部材、充電モジュール、及び２個の挟持ユニットを備え、
前記ベースユニットは、セット面を備え、前記ベースユニット内部には、外界と連通する数個の挟持ガイド槽及び数個のガード部材ガイド槽を備え、前記挟持ガイド槽と前記ガード部材ガイド槽との槽方向は、ちょうど反対で、前記２個の挟持ユニット局部は、前記挟持ガイド槽にスライドして入ることができ、前記ガード部材の局部も、前記ガード部材ガイド槽にスライドして入ることができ、スライドして入った後、前記２個の挟持ユニットと前記ガード部材の三者間の距離は固定され、
電子製品を前記セット面に置くと、前記ガード部材、前記２個の挟持ユニットは、電子製品周囲の三辺とそれぞれ接触し、その位置を固定し、
前記充電モジュールは、前記ベースユニット内部に位置し、位置は、前記セット面と相互に対応し、前記充電モジュールは、少なくとも１個のエミッション誘導コイル、コントロール回路ユニットを備え、
前記ベースユニットは別にコネクターを備え、前記コネクターは、前記充電モジュールと電気的に連接することを特徴とする無線充電機能を備える固定装置。
【考案の詳細な説明】
【技術分野】
【０００１】
本考案は固定装置に関し、特に固定装置内に一組の無線充電モジュールを設置することで、固定装置は電子製品を固定することができるばかりか、電源に外付けすることもでき、無線充電作業が可能となる無線充電機能を備える固定装置に関する。
【背景技術】
【０００２】
無線充電技術の成熟で、充電効率は絶えず向上している。携帯電話端末、パーソナルビデオプレーヤー、デジカメなどのポータブル電子製品では、すでに無線充電方式が採用されるようになってきている。上述した電子製品では、内蔵するレシーブ誘導コイルと電池との電気的連接を利用し、無線充電装置内にエミッション誘導コイルを内蔵する。これにより、両者が接近すると、電磁効果、電磁共振原理を利用しエネルギーを伝達し、電力転換により、電子製品の電池に対して充電を行う。
【０００３】
しばしば見られる無線充電装置は、電源線、無線充電パッドを備える。無線充電パッドは、無線充電可能な電子製品をその上に置くことができ、電源線末端のプラグを各式コンセントに挿入し、電磁誘導により、無線充電作業を行う。上述した構造は、使用において非常に便利ではあるが、平坦なデスク面上での充電に限定され、或いは揺れが発生する恐れがない場所にしか置くことができない。もし、携帯電話端末を傾斜角度に置かなければならない、或いは車内で充電を行う必要がある場合には、このタイプの無線充電装置は、携帯電話端末を固定することができないため、使用することができない。
本考案は、従来の無線充電装置の上記した欠点に鑑み、固定装置と無線充電装置を統合し、充電時の利便性を高めるためになされたものである。
【先行技術文献】
【特許文献】
【０００４】
【特許文献１】米国特許第ＵＳ６３６００８３号
【特許文献２】米国特許第ＵＳ５６９７０７１号
【考案の概要】
【考案が解決しようとする課題】
【０００５】
本考案が解決しようとする課題は、ベースユニットを備え、ベースユニットはその上に置かれた電子製品を固定でき、任意に移動させられなくし、ベースユニット内にはさらに充電モジュールを備え、充電モジュールは、ベースユニット上の電子製品に、電磁誘導方式で無線充電作業を行うことができ、車内であろうと壁面上であろうと、固定装置が使用或いは固定可能な場所であれば、電源線に接続するだけで、無線充電作業を行うことができ、電子製品の落下を恐れる必要もない無線充電機能を備える固定装置を提供することである。
【課題を解決するための手段】
【０００６】
上記課題を解決するため、本考案は下記の無線充電機能を備える固定装置を提供する。
無線充電機能を備える固定装置は、ベースユニット、少なくとも１個のガード部材、充電モジュールを備え、
該ベースユニットは、セット面を備え、
該ガード部材は、該ベースユニット位置に設置し、しかも該セット面表面に突出し、
電子製品を該セット面に置くと、該ガード部材は、電子製品辺縁に位置し、その落下を防止することができ、
該充電モジュールは、該ベースユニット内部に位置し、位置は、該セット面と相互に対応し、該充電モジュールは、少なくとも１個のエミッション誘導コイル、コントロール回路ユニットを備え、
該ベースユニットは別にコネクターを備え、該コネクターは、該充電モジュールと電気的に連接し、
本考案による固定装置の電子製品固定の堅固性を高めるため、該ベースユニットのセット面上には、粘性滑り止め部材を備え、
該粘性滑り止め部材は、柔らかい素材で、しかも繰り返し粘着可能な特性を備え、こうして電子製品を該セット面上の粘性滑り止め部材に置くと、その粘性と高い摩擦力で、その位置を固定し、該粘性滑り止め部材は粘性を備えるため、電子製品の位置を自由に調整でき、電子製品内のレシーブ誘導コイルを、エミッション誘導コイル位置に最も接近させることができ、最良の充電効果を達成し、
さらに、本考案による固定装置は、別種の型式とでき、同実施形態では、さらに２個の挟持ユニットを備え、
該２個の挟持ユニットは、該ベースユニットにおいて相互に対応する両辺に設置し、
内少なくとも１個の挟持ユニットは、もう１個の挟持ユニットへと接近或いは離れることができ、これにより電子製品は、該２個の挟持ユニットの間に挟持され、
さらに、該ガード部材、該２個の挟持ユニットは、電子製品周囲の三辺とそれぞれ接触し、その位置を固定し、
さらに、本考案による固定装置は、別種の型式とでき、同実施形態では、無線充電機能を備える固定装置は、２個の挟持ユニットを備え、
該２個の挟持ユニットは、ガイド槽嵌合方式を採用し、該ベースユニットに固定し、該ガード部材も、ガイド槽嵌合方式を採用し、該ベースユニットに固定し、
調整後の該２個の挟持ユニットと該ガード部材の三者間の距離は固定され、対応するサイズの電子製品に適用される。
【考案の効果】
【０００７】
本考案の無線充電機能を備える固定装置は、固定装置内に一組の無線充電モジュールを設置することで、固定装置は電子製品を固定することができるばかりか、電源に外付けすることもでき、無線充電作業が可能となる。
【図面の簡単な説明】
【０００８】
【図１】本考案第一実施形態の立体図である。
【図２】本考案第一実施形態によるガード部材移動方式を示す模式図である。
【図３】本考案第二実施形態の立体図である。
【図４】本考案第二実施形態による挟持ユニット移動方式を示す模式図である。
【図５】本考案第三実施形態の立体図である。
【図６】本考案第三実施形態の分解図及び模式図である。
【図７】本考案第三実施形態によるベースユニットに挟持ユニットを挿入する挿入口位置を示す模式図である。
【図８】本考案第三実施形態の側視図である。
【考案を実施するための形態】
【０００９】
以下に図面を参照しながら本考案を実施するための最良の形態について詳細に説明する。
【実施例】
【００１０】
本考案の第一実施形態の立体図である図１に示すように、本考案の固定装置１００Ａは、ベースユニット２、ガード部材３、充電モジュール４を備える。ベースユニット２は、セット面２１を備える。セット面２１上には、粘性滑り止め部材２２を備える。粘性滑り止め部材２２は、柔らかい素材で、しかも繰り返し粘着可能な特性を備え、材料はシリコン、或いは他の材料である。ガード部材３は、ベースユニット２位置に設置し、しかもセット面２１表面に突出する。電子製品をセット面２１に置くと、ガード部材３は、電子製品辺縁に位置し、その落下を防止することができる。さらに、粘性滑り止め部材２２を利用し、電子製品の位置を固定することができる。充電モジュール４は、ベースユニット２内部（図中の点線参照）に位置する。充電モジュール４の位置は、セット面２１と相互に対応する。充電モジュール４は、少なくとも１個のエミッション誘導コイル４１、コントロール回路ユニット４２を備える。コントロール回路ユニット４２とエミッション誘導コイル４１とは、電気的に連接する。使用時には、電源とコントロール回路ユニット４２が連接後、コントロール回路ユニット４２は、エミッション誘導コイル４１と相対する電子製品に、電磁効果を生じさせ、無線充電作業を行わせる。エミッション誘導コイル４１の位置は、セット面２１と必ず対応しなければならない。コントロール回路ユニット４２は、ベースユニット２内の他の位置に内蔵し、ベースユニット２の厚みを減らすことができる。よって、充電モジュール１２は、１個或いは数個の回路板により構成し、回路板が１個である場合には、その上には同時に、エミッション誘導コイル４１とコントロール回路ユニット４２を備える。本実施形態において、ベースユニット２は別にコネクター２３を備える。コネクター２３は、充電モジュール４と電気的に連接し、外部の電源線との接続を担当し、充電モジュール４に電力を供給し作動させる。
【００１１】
電子製品が充電作業を行う時には、エミッション誘導コイル４１の位置は、電子製品内部のレシーブ誘導コイルを備える位置に、非常に接近している必要がある。よって、図２に示すように、本実施形態において、ガード部材３は移動方式である。これにより、さまざまな電子製品に対応し、電子製品のベースユニット２上における位置を調整することができる。図示のように、ガード部材３は別に、少なくとも１個のスライド部材３１を備え、ベースユニット２内部へと延伸する。ベースユニット２は別に、固定部材２４を設置する。スライド部材３１側壁には別に、一方向ラチェット３１１を備える。固定部材２４内部構造は、ラチェット３１１と噛み合う。この噛み合いの方式は、特許文献１に開示するため、詳述しない。よって、固定部材２４が動かされ、固定解除状態となると、ガード部材３は、ベースユニット２から離れる方向へと移動する。
【００１２】
本考案の第二実施形態である図３、図４に示すように、本実施形態では、固定装置１００Ｂは、ベースユニット２、少なくとも１個のガード部材３、充電モジュール４を備える他、２個の挟持ユニット５１、５２を備える。２個の挟持ユニット５１、５２は、ベースユニット２において相互に対応する両辺に設置する。内少なくとも１個の挟持ユニットは、もう１個の挟持ユニットへと接近或いは離れることができる。本実施形態では、２個の挟持ユニット５１、５２は、同期に相互に接近或いは離れ、これにより電子製品は、２個の挟持ユニット５１、５２の間に挟持される。さらに、ガード部材３、２個の挟持ユニット５１、５２は、電子製品周囲の三辺とそれぞれ接触し、その位置を固定する。本実施形態では、２個の挟持ユニット５１、５２を利用して、電子製品を挟持するため、セット面２１上には、上述した実施形態の粘性滑り止め部材２２は備えない。
【００１３】
本考案の第三実施形態である図５、図６に示すように、本実施形態の固定装置１００Ｃは、ベースユニット７、ガード部材８、充電モジュール４を備える他、２個の挟持ユニット６１、６２を備え、しかも２個の挟持ユニット６１、６２及びガード部材３は、ガイド槽が嵌合する方式で、ベースユニット２に固定される。ベースユニット７内部には、外界と連通する数個の挟持ガイド槽及び数個のガード部材ガイド槽を備える。挟持ガイド槽とガード部材ガイド槽との槽方向は、ちょうど反対である。２個の挟持ユニット６１、６２局部は、挟持ガイド槽にスライドして入ることができる。ガード部材８の局部も、ガード部材ガイド槽にスライドして入ることができる。調整を経た後、２個の挟持ユニット７とガード部材８の三者間の距離は固定され、対応する電子製品のサイズに適用する。
【００１４】
構造部分は、特許文献２に開示する構造を採用するため、簡単な描写のみ行う。ベースユニット７は、上蓋台７１と下蓋台７２が対応して合わさり構成される。上蓋台７１内面には、数個の挟持ガイド層７１１、数個のガード部材ガイド槽７１２を備える（図７、図８参照）。下蓋台７２の相対する内面には、数個の挟持ガイド層７２１、数個のガード部材ガイド槽７２２を備える。挟持ガイド槽７１１、７２１は、縦方向の設置を採用する。ガード部材ガイド槽７１２、７２２は、横方向の設置を採用する。挟持ガイド槽７１１、７２１とガード部材ガイド槽７１２、７２２の設置方向は、ちょうど垂直状を呈し、本実施形態中では、形状も異なる。挟持ユニット６１は、別に延伸部材６１０を備え、組立て時には、ベースユニット７内に挿入することができる。延伸部材６１０一辺には、上係合棒６１１、下係合棒６１２を備え、組立て時には、挟持ガイド槽７１１、７２１内にスライドして入る。挟持ユニット６２は、延伸部材６２０を備える。延伸部材６２０一辺にも、上係合棒６２１、下係合棒６２２を備え、組立て時には、挟持ガイド槽７１１、７２１内にスライドして入る。こうして、２個の挟持ユニット６１、６２の位置を固定することができる。ガード部材８は別に、延伸部材８０を備え、組立て時には、ベースユニット７内にスライドして挿入される。延伸部材８０一辺には、上係合棒８１、下係合棒８２を備え、組立て時には、ガード部材ガイド槽７１２、７２２内にスライドして入る。こうして、ガード部材８の位置を固定する。２個の挟持ユニット６１、６２とガード部材８が異なる位置のガイド槽に入ることを利用し、各構成部材の位置を調整することができる。
【００１５】
別に本実施形態では、充電モジュール４は、ベースユニット７の上蓋台７１の内部に位置し、少なくとも１個のエミッション誘導コイル４１、コントロール回路ユニット４２を備える。エミッション誘導コイル４１の位置は、セット面７０１と相互に対応しなければならない。コネクター７３も、上蓋台７１に位置し、充電モジュール４と電気的に連接する。
【００１６】
上述したように、本考案は、電磁誘導方式の無線充電技術を採用し、各式固定装置中に巧妙に運用し、これにより使用者は携帯電話端末を便利に挟持して固定でき、その際には電源線を接続するだけで、無線充電作業を行うことができ、非常に便利である。
【００１７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１８】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１９】
１００Ａ  固定装置
２  ベースユニット
２１  セット面
２２  粘性滑り止め部材
２３  コネクター
２４  固定部材
３  ガード部材
３１  スライド部材
３１１  ラチェット
４  充電モジュール
４１  エミッション誘導コイル
４２  コントロール回路ユニット
１００Ｂ  固定装置
５１  挟持ユニット
５２  挟持ユニット
１００Ｃ  固定装置
６１  挟持ユニット
６１０  延伸部材
６１１  上係合棒
６１２  下係合棒
６２  挟持ユニット
６２０  延伸部材
６２１  上係合棒
６２２  下係合棒
７  ベースユニット
７０１  セット面
７１  上蓋台
７１１  挟持ガイド槽
７１２  ガード部材ガイド槽
７２  下蓋台
７２１  挟持ガイド槽
７２２  ガード部材ガイド槽
７３  コネクター
８  ガード部材
８０  延伸部材
８１  上係合棒
８２  下係合棒
【図１】
0003189577.tif 000003
【図２】
0003189577.tif 000004
【図３】
0003189577.tif 000005
【図４】
0003189577.tif 000006
【図５】
0003189577.tif 000007
【図６】
0003189577.tif 000008
【図７】
0003189577.tif 000009
【図８】
0003189577.tif 000010